(57)【要約】【課題】探索対象物との距離を精度良く割り出すことができるようにする。【解決手段】探索対象物に設けられた探索対象物側装置１〜５から、到達距離の異なる５種類の電波２１ａ〜２１ｅを送信させる。各電波２１ａ〜２１ｅの到達距離が５ｍ、１０ｍ、１５ｍ、２０ｍ、２５ｍであり、探索装置１０が到達距離２５ｍの電波２１ｅと到達距離２０ｍの電波２１ｄと到達距離１５ｍの電波２１ｃとを受信している場合、受信した電波の種類を報知するレベルメータ１６により、探索者が探索対象物から１０ｍ以上１５ｍ以内の位置にいることが報知される。【選択図】図１
2007327859.tif 000002
【特許請求の範囲】
【請求項１】
探索対象物に設けられ、到達距離の異なる複数の電波を送信する送信手段を有する探索対象物側装置と、
前記複数の電波を受信可能な受信手段と、
前記受信手段が受信した電波の種類を報知する報知手段と、
を有する携帯可能な探索装置と、
を有することを特徴とする探索対象物探索装置。
【請求項２】
前記探索装置は、外部からの操作に応じて前記探索対象物側装置に対して前記電波の送信の開始を指令する開始指令信号を送信する信号送信手段を有し、
前記探索対象物側装置は、
前記開始指令信号を受信する信号受信手段と、
前記開始指令信号が受信されるまでの間、前記複数の電波の送信を停止する一方、前記信号受信手段が前記開始指令信号を受信可能な待機状態に前記探索対象物側装置を保持する保持手段と、
前記開始指令信号が受信されたことに応じて、前記待機状態に保持されていた前記探索対象物側装置を前記送信手段から前記複数の電波の送信を行う送信状態に切り替える切替手段と、
を有することを特徴とする請求項１に記載の探索対象物探索装置。
【請求項３】
前記探索対象物側装置が複数存在し、
各探索対象物側装置は固有の識別情報を判別する判別手段を有し、
前記探索装置の前記信号送信手段は、各探索対象物側装置に対応する識別情報を有する前記開始指令信号を送信することを特徴とする請求項２に記載の探索対象物探索装置。
【発明の詳細な説明】
【技術分野】
【０００１】
本発明は、探索対象物の所在を探索する探索対象物探索装置に関する。
【背景技術】
【０００２】
例えば、テレビのリモコンやメガネ等、日常生活で多用する物品の置き場所が分からなくなり、探し回ることがある。また、押入れ等にしまっておいた物品を久々に使用したいときに、何処にしまっておいたのか忘れていて、探し回ることがある。そこで、このような探索対象物を容易に見つけ出すことができるような発明が種々提案されている。
【０００３】
特許文献１には、テレビ等に設けられたスイッチを押すと、所在の分からなくなっているリモコンに対して電波が発信され、この電波を受信したリモコンが発光したり、警報音を発することで、その所在を報知する発明が開示されている。これによれば、リモコンの発光や警報音を頼りにリモコンの所在を突き止めることができる。
【０００４】
また、特許文献２には、電気／電子機器から電波信号又は光信号として発信された探索信号をリモコンが受信し、この探索信号が有するＩＤコードが自己のＩＤコードに合致した場合に、このリモコンに設けられたスピーカから警報を発することで、複数のリモコンが存在している場合であっても、所望のリモコンを探索することが可能な発明が開示されている。
【０００５】
また、特許文献３には、財布やメガネなど複数の物品の各々に報知器を設け、送信機から各物品に対応する電波を送信して、所望の物品に設けられた報知器から音または光を発生させることで、１台の送信機で複数の物品の探索が可能な紛失物探知装置が開示されている。
【０００６】
また、特許文献４には、多数の車両が駐車される駐車場に駐車された車両のエンジンが停止されると、車両に搭載された送信機が起動されて信号電波の送信を開始し、この信号電波を受信した受信機が、この信号電波の電界強度に基づいて車両との距離や車両が存在する方向を割り出す車両探索システムが開示されている。
【０００７】
【特許文献１】特開平６−１６５２６７号公報
【特許文献２】特開２００２−３４５０５４号公報
【特許文献３】実用新案登録第３０９４５１７号公報
【特許文献４】特開平１０−２３２９９９号公報
【発明の開示】
【発明が解決しようとする課題】
【０００８】
しかしながら、特許文献１乃至３の発明は、単一の報知音を聴いて、その音量の大小により探索対象物が近くにあるのか遠くにあるのかを人間が判断するものであり、探索対象物との距離を割り出す精度に限界があった。また、特許文献４の発明は、単一の信号電波の電解強度に基づいて車両との距離を割り出しているが、信号電波が微弱なために分解能が低く、車両との距離を割り出す精度に限界があった。
【０００９】
本発明の目的は、探索対象物との距離を精度良く割り出すことが可能な探索対象物探索装置を提供することである。
【課題を解決するための手段及び効果】
【００１０】
本発明の探索対象物探索装置は、探索対象物に設けられ、到達距離の異なる複数の電波を送信する送信手段を有する探索対象物側装置と、前記複数の電波を受信可能な受信手段と、前記受信手段が受信した電波の種類を報知する報知手段と、を有する携帯可能な探索装置と、を有することを特徴とする。
【００１１】
上記の構成によれば、到達距離の異なる複数の電波のうち、受信手段が受信した電波の種類が報知されるから、例えば、到達距離が５ｍ、１０ｍ、１５ｍ、２０ｍ、２５ｍの５種類の電波が探索対象物側装置から送信されており、探索装置が到達距離２５ｍの電波のみを受信していることが報知されると、探索者が探索対象物から２０ｍ以上２５ｍ以内の位置にいることが分かり、探索装置が到達距離２５ｍの電波と到達距離２０ｍの電波とを受信していることが報知されると、探索者が探索対象物から１５ｍ以上２０ｍ以内の位置にいることが分かるといったように、探索者と探索対象物との距離を精度良く割り出すことができる。
【００１２】
また、本発明の探索対象物探索装置において、前記探索装置は、外部からの操作に応じて前記探索対象物側装置に対して前記電波の送信の開始を指令する開始指令信号を送信する信号送信手段を有し、前記探索対象物側装置は、前記開始指令信号を受信する信号受信手段と、前記開始指令信号が受信されるまでの間、前記複数の電波の送信を停止する一方、前記信号受信手段が前記開始指令信号を受信可能な待機状態に前記探索対象物側装置を保持する保持手段と、前記開始指令信号が受信されたことに応じて、前記待機状態に保持されていた前記探索対象物側装置を前記送信手段から前記複数の電波の送信を行う送信状態に切り替える切替手段と、を有していてよい。
【００１３】
上記の構成によれば、開始指令信号が受信されたことに応じて、待機状態に保持されていた探索対象物側装置が送信手段から複数の電波の送信を行う送信状態に切り替えられるから、開始指令信号を受信するまでの間、探索対象物側装置からの複数の電波の送信を停止することによって、探索対象物側装置の消費電力を抑えることができる。
【００１４】
また、本発明の探索対象物探索装置において、前記探索対象物側装置が複数存在し、各探索対象物側装置は固有の識別情報を判別する判別手段を有し、前記探索装置の前記信号送信手段は、各探索対象物側装置に対応する識別情報を有する前記開始指令信号を送信してよい。上記の構成によれば、探索装置の信号送信手段は各探索対象物側装置に対応する識別情報を有する開始指令信号を送信するから、識別情報を使い分けることによって、一の探索装置で複数の探索対象物側装置の各々の位置を探索することができる。
【発明を実施するための最良の形態】
【００１５】
本発明の実施の形態を図１ないし図４に基づいて以下に説明する。
【００１６】
（探索対象物探索装置５０の機械的構成）
本実施の形態にかかる探索対象物探索装置５０は、図１に示すように、５種類の電波２１ａ〜２１ｅを送信可能な５台の探索対象物側装置１〜５と、各電波２１ａ〜２１ｅを受信可能な探索装置１０とから構成されている。探索対象物側装置１〜５は、探索対象物、例えばテレビのリモコンやメガネ等に貼着可能な大きさにされており、探索対象物に貼着されるか、探索対象物の近傍に設置される。探索対象物側装置１〜５は、例えば、内蔵したバッテリーにより駆動される。一方、探索装置１０は探索者によって携帯されて、移動される。なお、本実施の形態においては、１台の探索装置１０に対して５台の探索対象物側装置１〜５が設けられているが、探索対象物側装置の台数はこれに限定されるものではない。
【００１７】
各探索対象物側装置１〜５は、その筐体に図示しないアンテナを備えており、探索装置１０から送信された後述する開始指令信号を受信し、この開始指令信号が有する識別情報が自己に固有の識別情報に一致した場合に、アンテナを介して各電波２１ａ〜２１ｅの送信を開始するようにされている。即ち、各探索対象物側装置１〜５は、自己に固有の識別情報を有する開始指令信号を受信するまでの間は、各電波２１ａ〜２１ｅの送信を停止して、探索装置１０から送信されてくる開始指令信号を受信可能な待機状態に保持されており、自己に固有の識別情報を有する開始指令信号を受信すると、各電波２１ａ〜２１ｅの送信を行う送信状態に切り替えられる。図１においては、探索対象物側装置１，２，４，５が待機状態に保持されて各電波２１ａ〜２１ｅの送信を停止しており、探索対象物側装置３が送信状態となって各電波２１ａ〜２１ｅを送信している様子を図示している。このように、開始指令信号を受信するまでの間、探索対象物側装置１〜５からの各電波２１ａ〜２１ｅの送信を停止することによって、探索対象物側装置１〜５の消費電力を抑えることができる。
【００１８】
また、各探索対象物側装置１〜５は、探索装置１０から送信された後述する停止指令信号を受信し、この停止指令信号が有する識別情報が自己に固有の識別情報に一致した場合に、送信中の各電波２１ａ〜２１ｅの送信を停止するようにされている。即ち、各探索対象物側装置１〜５は、自己に固有の識別情報を有する停止指令信号を受信すると、送信状態から待機状態となる。
【００１９】
各探索対象物側装置１〜５が送信する５種類の電波２１ａ〜２１ｅは、出力レベルの強弱により到達距離が夫々異なる。本実施の形態においては、電波２１ａは出力レベルが最も弱く、到達距離は５ｍである。電波２１ｂは電波２１ａよりも出力レベルが強く、到達距離は１０ｍである。電波２１ｃは電波２１ｂよりも出力レベルが強く、到達距離は１５ｍである。電波２１ｄは電波２１ｃよりも出力レベルが強く、到達距離は２０ｍである。電波２１ｅは出力レベルが最も強く、到達距離は２５ｍである。なお、電波の数やその到達距離はこれに限定されるものではない。
【００２０】
探索装置１０は、図１に拡大して示すように、その筐体１０ａに５つの探索ボタン１１〜１５と、報知手段としてのレベルメータ１６とを備えている。また、筐体１０ａにはアンテナ１７が凸設されている。探索ボタン１１は、探索対象物側装置１に対応しており、この探索ボタン１１が押下されることで、探索対象物側装置１に対応する識別情報を有する開始指令信号又は停止指令信号が探索装置１０から送信される。同様にして、探索ボタン１２は探索対象物側装置２に対応しており、探索ボタン１３は探索対象物側装置３に対応しており、探索ボタン１４は探索対象物側装置４に対応しており、探索ボタン１５は探索対象物側装置５に対応している。探索ボタン１１〜１５は、探索対象となる探索対象物側装置に応じて使い分けられる。このように、探索ボタン１１〜１５の使い分けにより、送信する開始指令信号を使い分けることによって、一の探索装置１０で５台の探索対象物側装置１〜５の各々の位置を探索することができる。
【００２１】
また、５つの探索ボタン１１〜１５は、透過性を有する材質で形成されているとともに、図示しないＬＥＤランプを内蔵している。このＬＥＤランプは、対応する探索ボタンが押下されて、開始指令信号が探索装置１０から送信されると点灯され、探索が行われている間中点灯される。そして、対応する探索ボタンが再び押下されて、停止指令信号が探索装置１０から送信されると消灯される。このように、ＬＥＤランプの点灯により、どの探索対象物側装置１〜５が現在の探索対象であるのか、即ち、現在の探索対象物が何であるのかが分かるようにされている。図１においては、探索対象が探索対象物側装置３であり、探索ボタン１３がＬＥＤランプにより点灯されている様子を図示している。
【００２２】
レベルメータ１６は、探索装置１０が受信した電波の種類に応じて制御される。探索装置１０が探索対象である探索対象物側装置の圏外、つまり、探索対象である探索対象物側装置から２５ｍ以上離れた位置に位置している場合、探索装置１０は各電波２１ａ〜２１ｅのいずれも受信しないから、レベルメータ１６の表示は行なわれない。一方、探索装置１０が探索対象である探索対象物側装置から２０ｍ以上２５ｍ以内の位置に位置している場合、探索装置１０は電波２１ｅのみを受信するから、レベルメータ１６は２５ｍと付記されている目盛りまで表示される。つまり、レベルメータ１６の表示によって電波２１ｅを受信していることが報知される。また、探索装置１０が探索対象である探索対象物側装置から５ｍ以内の位置に位置している場合、探索装置１０は各電波２１ａ〜２１ｅの全てを受信するから、レベルメータ１６は５ｍと付記されている目盛りまで表示される。つまり、レベルメータ１６の表示によって各電波２１ａ〜２１ｅの全てを受信していることが報知される。図１においては、探索装置１０が電波２１ｃ，２１ｄ，２１ｅを受信することにより、レベルメータ１６が１５ｍと付記されている目盛りまで表示されている様子を図示している。
【００２３】
このように、レベルメータ１６の表示によって受信した電波の種類が報知されるから、例えば、図１に示すように、１５ｍと付記されている目盛りまでレベルメータ１６が表示されると、探索装置１０が、到達距離が２５ｍの電波２１ｅと到達距離が２０ｍの電波２１ｄと到達距離が１５ｍの電波２１ｃとを受信しており、探索者が探索対象物から１０ｍ以上１５ｍ以内の位置にいることが分かる。これにより、探索者と探索対象物との距離を精度良く割り出すことができる。
【００２４】
（探索対象物探索装置５０の電気的構成）
次に、図２を用いて、探索対象物探索装置５０の電気的構成について説明する。
【００２５】
各探索対象物側装置１〜５は、送信手段および信号受信手段としての制御部３１、復変調部３２、送受信部３３およびアンテナ３４を備えている。制御部３１は、探索装置１０から送信された開始指令信号を受信し、この開始指令信号が有する識別情報が自己に固有の識別情報と一致した場合に、出力レベルの強弱により到達距離が異なる５種類の電波２１ａ〜２１ｅを発生させる。即ち、探索対象物側装置を待機状態から送信状態に切り替える。また、制御部３１は、探索装置１０から送信された停止指令信号を受信し、この停止指令信号が有する識別情報が自己に固有の識別情報と一致した場合に、５種類の電波２１ａ〜２１ｅの送信を停止させる。即ち、探索対象物側装置を送信状態から待機状態に切り替える。
【００２６】
復変調部３２は、各電波２１ａ〜２１ｅを変調する一方、探索装置１０から送信されてきた開始指令信号や停止指令信号を復調する。送受信部３３は、復変調部３２で変調されたデジタル符号からなる各電波２１ａ〜２１ｅをアナログ符号に変換して、アンテナ３４を介して送信する一方、探索装置１０から送信されてきたアナログ符号からなる開始指令信号や停止指令信号をアンテナ３４を介して受信して、デジタル符号に変換する。
【００２７】
探索装置１０は、受信手段としての制御部４１、復変調部４２、送受信部４３およびアンテナ１７を備えている。また、制御部４１、復変調部４２、送受信部４３、アンテナ１７とともに信号送信手段を構成する入出力部４４および探索ボタン１１〜１５や、報知手段としてのレベルメータ１６、および、これを制御するレベルメータ制御部４５を備えている。
【００２８】
制御部４１は、入出力部４４に入力された探索ボタン１１〜１５からの入力信号を入出力部４４から受け取ると、その探索ボタンに対応する識別情報を有する開始指令信号又は停止指令信号を発生させる。また、制御部４１は、入力信号の発生源の探索ボタンに内蔵されているＬＥＤランプを点灯・消灯させる信号を入出力部４４に出力することにより、入力信号の発生源の探索ボタンに内蔵されているＬＥＤランプを点灯・消灯させる。また、制御部４１は、復変調部４２から入力された電波が５種類の電波２１ａ〜２１ｅのいずれを含んでいるかを解析し、その情報をレベルメータ制御部４５に出力する。
【００２９】
復変調部４２は、開始指令信号や停止指令信号を変調する一方、探索対象物側装置１〜５から送信されてきた各電波２１ａ〜２１ｅを復調する。送受信部４３は、復変調部４２で変調されたデジタル符号からなる開始指令信号や停止指令信号をアナログ符号に変換して、アンテナ１７を介して送信する一方、探索対象物側装置１〜５から送信されてきたアナログ符号からなる各電波２１ａ〜２１ｅをアンテナ１７を介して受信して、デジタル符号に変換する。レベルメータ制御部４５は、制御部４１が解析した電波の情報に基づいて、レベルメータ１６を制御する。
【００３０】
（探索対象物探索装置５０の動作）
上記の構成において、図３に示す探索対象物側装置側メインルーチン、及び、図４に示す探索装置側メインルーチンを参照して、探索対象物探索装置５０の動作について説明する。
【００３１】
（探索対象物側装置１〜５の動作：探索対象物側装置側メインルーチン）
まず、各探索対象物側装置１〜５の制御部３１の制御動作について、図３に示す探索対象物側装置側メインルーチンを参照して説明する。図３において、初めに、制御部３１は、開始指令信号を受信したか否かを判定する（Ａ１）。開始指令信号を受信していない場合には（Ａ１：ＮＯ）、Ａ１を繰り返すことにより開始指令信号の受信待ちの状態となり、待機状態に保持される。開始指令信号を受信した場合には（Ａ１：ＹＥＳ）、その開始指令信号が有する識別情報が自己に固有の識別情報に一致するか否かを判定する（Ａ２）。識別情報が一致しない場合には（Ａ２：ＮＯ）、Ａ１に戻る。識別情報が一致した場合には（Ａ２：ＹＥＳ）、待機状態から送信状態に切り替えて、到達距離が異なる５種類の電波２１ａ〜２１ｅを送信させる（Ａ３）。このように、開始指令信号を受信するまでの間、探索対象物側装置１〜５からの各電波２１ａ〜２１ｅの送信を停止することによって、探索対象物側装置１〜５の消費電力を抑えることができる。
【００３２】
続いて、制御部３１は、停止指令信号を受信したか否かを判定する（Ａ４）。停止指令信号を受信していない場合には（Ａ４：ＮＯ）、Ａ３を繰り返すことにより各電波２１ａ〜２１ｅの送信を継続させる。停止指令信号を受信した場合には（Ａ４：ＹＥＳ）、その停止指令信号が有する識別情報が自己に固有の識別情報に一致するか否かを判定する（Ａ５）。識別情報が一致しない場合には（Ａ５：ＮＯ）、Ａ３に戻る。識別情報が一致した場合には（Ａ５：ＹＥＳ）、各電波２１ａ〜２１ｅの送信を停止させて（Ａ６）、Ａ１に戻る。
【００３３】
（探索装置１０の動作：探索装置側メインルーチン）
次に、図４に示す探索装置側メインルーチンを参照して、探索装置１０の制御部４１の制御動作について説明する。図４において、まず、制御部４１は、探索ボタン１１〜１５のいずれかが押下されたか否かを判定する（Ｂ１）。探索ボタン１１〜１５のいずれもが押下されなければ（Ｂ１：ＮＯ）、Ｂ１を繰り返すことにより探索ボタン１１〜１５の押下待ちの状態となる。探索ボタン１１〜１５のいずれかが押下されると（Ｂ１：ＹＥＳ）、押下された探索ボタンを、この探索ボタンに内蔵されたＬＥＤランプにより点灯させ（Ｂ２）、押下された探索ボタンに対応する識別情報を有する開始指令信号を送信させる（Ｂ３）。このように、探索ボタン１１〜１５の使い分けにより、送信する開始指令信号を使い分けることによって、一の探索装置１０で５台の探索対象物側装置１〜５の各々の位置を探索することができる。
【００３４】
続いて、制御部４１は、各電波２１ａ〜２１ｅを受信したか否かを判定する（Ｂ４）。各電波２１ａ〜２１ｅを受信すると（Ｂ４：ＹＥＳ）、受信した電波の種類に応じてレベルメータ１６を制御する（Ｂ５）。
【００３５】
ここで、例えば、図１に示すように、１５ｍと付記されている目盛りまでレベルメータ１６が表示されると、探索装置１０が、到達距離が２５ｍの電波２１ｅと到達距離が２０ｍの電波２１ｄと到達距離が１５ｍの電波２１ｃとを受信しており、探索者が探索対象物から１０ｍ以上１５ｍ以内の位置にいることが分かる。これにより、探索者と探索対象物との距離を精度良く割り出すことができる。
【００３６】
Ｂ４において、各電波２１ａ〜２１ｅを受信しないか（Ｂ４：ＮＯ）、Ｂ５の処理の後に、点灯する探索ボタンが押下されたか否かを判定する（Ｂ６）。点灯する探索ボタンが押下されなければ（Ｂ６：ＮＯ）、Ｂ４に戻る。点灯する探索ボタンが押下されると（Ｂ６：ＹＥＳ）、押下された探索ボタンに内蔵されたＬＥＤランプを消灯させることで、押下された探索ボタンを消灯させ（Ｂ７）、押下された探索ボタンに対応する識別情報を有する停止指令信号を送信させる（Ｂ８）。その後、Ｂ１に戻る。
【００３７】
（本実施の形態の概要）
以上のように、本実施の形態の探索対象物探索装置５０は、探索対象物（リモコン等）に設けられ、到達距離の異なる複数の電波（電波２１ａ〜２１ｅ等）を送信する送信手段（制御部３１、復変調部３２、送受信部３３、アンテナ３４等）を有する探索対象物側装置１〜５と、複数の電波を受信可能な受信手段（制御部４１、復変調部４２、送受信部４３、アンテナ１７等）と、受信手段が受信した電波の種類を報知する報知手段（レベルメータ１６、レベルメータ制御部４５等）と、を有する携帯可能な探索装置１０と、を有する構成にされている。
【００３８】
上記の構成によれば、到達距離の異なる複数の電波のうち、受信手段が受信した電波の種類が報知されるから、例えば、到達距離が５ｍ、１０ｍ、１５ｍ、２０ｍ、２５ｍの５種類の電波が探索対象物側装置１〜５から送信されており、探索装置１０が到達距離２５ｍの電波のみを受信していることが報知されると、探索者が探索対象物から２０ｍ以上２５ｍ以内の位置にいることが分かり、探索装置１０が到達距離２５ｍの電波と到達距離２０ｍの電波とを受信していることが報知されると、探索者が探索対象物から１５ｍ以上２０ｍ以内の位置にいることが分かるといったように、探索者と探索対象物との距離を精度良く割り出すことができる。
【００３９】
また、本発明の探索対象物探索装置５０において、探索装置１０は、外部からの操作に応じて探索対象物側装置１〜５に対して電波の送信の開始を指令する開始指令信号を送信する信号送信手段（制御部４１、復変調部４２、送受信部４３、アンテナ１７、入出力部４４、探索ボタン１１〜１５等）を有し、探索対象物側装置１〜５は、開始指令信号を受信する信号受信手段（制御部３１、復変調部３２、送受信部３３、アンテナ３４）と、開始指令信号が受信されるまでの間、複数の電波の送信を停止する一方、信号受信手段が開始指令信号を受信可能な待機状態に探索対象物側装置１〜５を保持する保持手段（制御部３１等）と、開始指令信号が受信されたことに応じて、待機状態に保持されていた探索対象物側装置１〜５を送信手段から複数の電波の送信を行う送信状態に切り替える切替手段（制御部３１等）と、を有する構成にされている。
【００４０】
上記の構成によれば、開始指令信号が受信されたことに応じて、待機状態に保持されていた探索対象物側装置１〜５が送信手段から複数の電波の送信を行う送信状態に切り替えられるから、開始指令信号を受信するまでの間、探索対象物側装置１〜５からの複数の電波の送信を停止することによって、探索対象物側装置１〜５の消費電力を抑えることができる。
【００４１】
また、本発明の探索対象物探索装置５０において、探索対象物側装置１〜５が複数存在し、各探索対象物側装置１〜５は固有の識別情報を判別する判別手段（制御部３１等）を有し、探索装置１０の信号送信手段は、各探索対象物側装置１〜５に対応する識別情報を有する開始指令信号を送信する構成にされている。上記の構成によれば、探索装置１０の信号送信手段は各探索対象物側装置１〜５に対応する識別情報を有する開始指令信号を送信するから、識別情報を使い分けることによって、一の探索装置１０で複数の探索対象物側装置１〜５の各々の位置を探索することができる。
【００４２】
（本実施の形態の変形例）
以上、本発明を好適な実施の形態に基づいて説明したが、本発明はその趣旨を超えない範囲において変更が可能である。即ち、本実施の形態では、レベルメータ１６により受信した電波の種類、つまり、探索対象物側装置１〜５のいずれかと探索装置１０との相対距離が報知される構成にされているが、この構成に限定されるものではなく、音声等を出力するスピーカにより、受信した電波の種類が報知される構成であってもよい。
【００４３】
なお、本発明は、上記の好ましい実施の形態に記載されているが、本発明はそれだけに制限されない。本発明の趣旨と範囲から逸脱することのない様々な実施の形態が他になされることは理解されよう。さらに、本実施の形態において、本発明の構成による作用および効果を述べているが、これら作用および効果は、一例であり、本発明を限定するものではない。
【図面の簡単な説明】
【００４４】
【図１】本実施の形態に係る探索対象物探索装置の模式図。
【図２】探索対象物側装置および探索装置の回路の構成を示すブロック図。
【図３】探索対象物側装置側メインルーチンのフローチャートを示す図。
【図４】探索装置側メインルーチンのフローチャートを示す図。
【符号の説明】
【００４５】
１〜５  探索対象物側装置
１０  探索装置
１６  レベルメータ
１７  アンテナ
２１ａ〜２１ｅ  電波
３１  制御部
３２  復変調部
３３  送受信部
３４  アンテナ
４１  制御部
４２  復変調部
４３  送受信部
４５  レベルメータ制御部
５０  探索対象物探索装置
【図１】
2007327859.tif 000003
【図２】
2007327859.tif 000004
【図３】
2007327859.tif 000005
【図４】
2007327859.tif 000006